(57)【要約】【課題】手書きで区切り記号を原稿に加えてスキャンするだけで、所望の修正（変更）を原稿の画像データに行えるようにする。【解決手段】画像処理装置の制御部は、原稿の読み取りで得られた読取画像データに含まれる区切り記号を認識する。認識した区切り記号に基づき、制御部は、変更領域を定める。変更領域に対応する区切り記号に基づき、制御部は、変更領域で実行する変更処理の種類を定める。制御部は、定めた変更処理を変更領域に含まれる記号に施して修正画像データを生成する。【選択図】図３
2020195113.tif 000002
【特許請求の範囲】
【請求項１】
原稿を読み取る画像読取部と、
前記原稿の読み取りで得られた読取画像データに含まれる区切り記号を認識し、
認識した複数の同じ前記区切り記号に基づき、変更領域を定め、
前記変更領域に対応する前記区切り記号に基づき、前記変更領域で実行する変更処理の種類を定め、
定めた前記変更処理を前記変更領域に含まれる記号に施して修正画像データを生成する制御部と、
前記修正画像データに基づきジョブを実行するジョブ実行部と、を含み、
前記区切り記号は、前記変更領域と前記変更処理の種類を定めるための記号として予め定められた記号であることを特徴とする画像処理装置。
【請求項２】
第１グループに属する前記区切り記号を用いるか否か、及び、第２グループに属する前記区切り記号を用いるか否かの選択を受け付ける操作パネルを含み、
前記制御部は、
前記第１グループの前記区切り記号を用いる選択がなされている場合、前記第１グループに属する前記区切り記号に対応する前記変更処理を行い、
前記第２グループの前記区切り記号を用いる選択がなされている場合、前記第２グループに属する前記区切り記号に対応する前記変更処理を行うことを特徴とする請求項１に記載の画像処理装置。
【請求項３】
記憶部を含み、
前記操作パネルは、
前記第２グループの前記区切り記号とする記号の選択を受け付け、
選択された記号に対応する前記変更処理の設定を受け付け、
前記制御部は、
前記選択された記号と、前記選択された記号に対応する前記変更処理と、を定義した第２グループ定義データを前記記憶部に記憶させ、
前記第２グループ定義データで定められている記号を前記区切り記号と扱うことを特徴とする請求項２に記載の画像処理装置。
【請求項４】
前記制御部は、使用者を認識し、
前記記憶部は、使用者ごとに前記第２グループ定義データを記憶し、
前記制御部は、前記読取画像データのうち、認識した使用者に対応する前記第２グループ定義データで定められた記号を前記区切り記号と認識することを特徴とする請求項３に記載の画像処理装置。
【請求項５】
ｓｕｐｅｒｓｃｒｉｐｔ処理に対応する前記区切り記号が予め定められ、
前記変換処理として前記ｓｕｐｅｒｓｃｒｉｐｔ処理を行うとき、
前記制御部は、前記変更領域を、前記変更領域の直前の行領域の後に移動させることを特徴とする請求項１乃至４の何れか１項に記載の画像処理装置。
【請求項６】
大文字化処理に対応する前記区切り記号が予め定められ、
前記変換処理として前記大文字化処理を行うとき、
前記制御部は、前記変更領域に含まれるアルファベットを、大文字に変更することを特徴とする請求項１乃至５の何れか１項に記載の画像処理装置。
【請求項７】
小文字化処理に対応する前記区切り記号が予め定められ、
前記変換処理として前記小文字化処理を行うとき、
前記制御部は、前記変更領域に含まれるアルファベットを、小文字に変更することを特徴とする請求項１乃至６の何れか１項に記載の画像処理装置。
【請求項８】
太字化処理に対応する前記区切り記号が予め定められ、
前記変換処理として前記太字化処理を行うとき、
前記制御部は、前記変更領域に含まれるそれぞれの記号を太字にすることを特徴とする請求項１乃至７の何れか１項に記載の画像処理装置。
【請求項９】
イタリック処理に対応する前記区切り記号が予め定められ、
前記変換処理として前記イタリック処理を行うとき、
前記制御部は、前記変更領域に含まれるそれぞれの記号をイタリック体に変更することを特徴とする請求項１乃至８の何れか１項に記載の画像処理装置。
【請求項１０】
前記制御部は、
前記読取画像データに含まれる記号のうち、予め定められた区切り記号色の記号を前記区切り記号として認識することを特徴しする請求項１乃至９の何れか１項に記載の画像処理装置。
【発明の詳細な説明】
【技術分野】
【０００１】
本発明は、原稿を読み取って画像データを生成する画像処理装置に関する。
【背景技術】
【０００２】
編集した画像データに基づいて、印刷のようなジョブを行うことがある。しかし、画像データの修正に手間がかかる場合がある。一方、原稿を読み取り、画像データを生成し、ジョブを行う装置がある（例えば、画像形成装置）。そこで、原稿読み取りで得られた画像データの加工を、原稿を読み取る装置で行えるようにする場合がある。原稿を読み取って得られた画像データの加工を行う画像形成装置の一例が特許文献１に記載されている。
【０００３】
具体的に特許文献１には、手書き原稿修正モードにおいて、原稿をスキャンしてＯＣＲ 処理を行い、ＯＣＲ機能で読み取れない（明確に文字を認識できない）箇所を空白とした第１の出力結果を紙出力し、空白に文字が書き直された紙を再度スキャンしてＯＣＲ処理を行い、２度目以降では、保持してある前のスキャン画像との差のある箇所だけにＯＣＲ処理を実施し、書き直しにより認識できた部分を含む第２の出力結果を出力する画像形成装置が記載されている。手書き修正、再度のスキャン、再度のＯＣＲ処理を必要なだけ繰り返すことにより、操作パネルでの指示、修正なしでＯＣＲの誤認識を訂正しようとする（特許文献１：段落［００３５］、図５）。
【先行技術文献】
【特許文献】
【０００４】
【特許文献１】特開２００６−１９６９７６号公報
【発明の概要】
【発明が解決しようとする課題】
【０００５】
ＰＣ（コンピューター）から受信したファイル名や画像データに基づき印刷を行う画像形成装置がある（例えば、プリンター、複合機）。例えば、文書作成ソフトウェア（ワードプロセッサーソフトウェア、エディター）を用いて作成した文書ファイルに基づき、画像形成装置に印刷させることがある。修正したい場合、ＰＣ、ソフトウェアを用いて、もとのファイル（元データ）を修正する。修正後のファイルに基づき印刷を行えば、修正された印刷物を得ることができる。
【０００６】
また、例えば、原稿の印刷の元になったファイルが無い場合、印刷物を読み取って得られた画像データを編集して、修正した印刷物を得ようとすることもある。具体的に、印刷物（原稿）をスキャンする。そして、スキャンで得られた画像データを加工、編集する。しかし、画像データの編集には、ＰＣ、画像編集用ソフトウェアが必要である。
【０００７】
このように、印刷物の内容を修正する場合、ＰＣ、ソフトウェアを用いる必要がある。ＰＣとソフトウェアの一方が無ければ、修正できない。例えば、外出先では、自己のＰＣを持っていない場合がある。この場合、修正された印刷物を得ることができない。容易に修正された印刷物を得られるとは限らないという問題がある。
【０００８】
特許文献１の技術は、出力用紙に手書きすることにより、ＯＣＲの誤認識を訂正する技術である。特許文献１記載の技術では、誤っている文字を正しい文字に修正することのみ可能である。正しく認識できたと思われる文字の修正は想定されていない。また、様式変更のような文字以外の事項は修正することができない。修正の自由度が低い。特許文献１記載の技術では、文書を十分に修正できない場合がある。
【０００９】
本発明は上記課題を解決するため、手書きで区切り記号を原稿に加えてスキャンするだけで、所望の修正（変更）を原稿の画像データに行えるようにする。
【課題を解決するための手段】
【００１０】
本発明に係る画像処理装置は、画像読取部、制御部、ジョブ実行部を含む。前記画像読取部は、原稿を読み取る。前記制御部は、前記原稿の読み取りで得られた読取画像データに含まれる区切り記号を認識する。認識した複数の同じ前記区切り記号に基づき、前記制御部は、変更領域を定める。前記変更領域に対応する前記区切り記号に基づき、前記制御部は、前記変更領域で実行する変更処理の種類を定める。前記制御部は、定めた前記変更処理を前記変更領域に含まれる記号に施して修正画像データを生成する。前記ジョブ実行部は、前記修正画像データに基づきジョブを実行する。前記区切り記号は、前記変更領域と前記変更処理の種類を定めるための記号として予め定められた記号である。
【発明の効果】
【００１１】
手書きで区切り記号を原稿に加えるだけで、原稿の画像データ（読取画像データ）に所望の修正（変更）を行うことができる。ＰＣ（コンピューター）、編集用ソフトウェアを用いる必要はない。手書きで区切り記号を原稿に加えるだけでよく、容易に修正を行うことができる。
【図面の簡単な説明】
【００１２】
【図１】実施形態に係る複合機の一例を示す図である。
【図２】実施形態に係る複合機で実行できるジョブの一例を示す図である。
【図３】実施形態に修正読取モードでの処理の流れの一例を示す図である。
【図４】実施形態に係るグループ選択画面の一例を示す図である。
【図５】実施形態に係る第２グループ定義用画面の一例を示す。
【図６】実施形態に係る読取画像データの一例を示す。
【図７】実施形態に係る変更領域の設定の一例を示す。
【図８】実施形態に係る変更処理の一例を示す。
【発明を実施するための形態】
【００１３】
以下、図１〜図８を用い、本発明を説明する。以下では、画像処理装置として複合機１００を例に挙げ説明する。複合機１００は画像形成装置でもある。なお、画像処理装置は複合機１００に限られない。スキャナーを有する他種の画像形成装置でもよい（例えば、複写機）。なお、本実施の形態に記載されている構成、配置等の各要素は、発明の範囲を限定せず、単なる説明例にすぎない。
【００１４】
（複合機１００）
図１を用いて実施形態に係る複合機１００の一例を説明する。図１は、実施形態に係る複合機１００の一例を示す図である。
【００１５】
複合機１００は制御部１、記憶部２、画像読取部３、操作パネル４、印刷部５、通信部６を含む。
【００１６】
制御部１は複合機１００の動作を制御する。制御部１は、制御回路１０、画像処理回路１１、画像データ生成回路１２を含む。制御回路１０は、例えば、ＣＰＵである。制御回路１０は、記憶部２に記憶されたプログラム、データに基づき各部（画像読取部３、操作パネル４、印刷部５、通信部６）を制御する。画像処理回路１１は各種画像処理を行う。例えば、画像処理回路１１は、画像処理専用の回路（ＡＳＩＣ）である。
【００１７】
記憶部２は、ＲＯＭ、ストレージ、ＲＡＭを含む。ＲＯＭは、例えば、フラッシュＲＯＭである。ストレージは、ＨＤＤやＳＳＤのような大容量の不揮発性記憶装置である。記憶部２は、各種データ、制御用プログラムを記憶する。例えば、記憶部２は制御用データ、設定データ、画像データを記憶する。
【００１８】
画像読取部３は原稿を読み取る。画像読取部３は、例えば、原稿台（コンタクトガラス）、ランプ、イメージセンサーを含む。イメージセンサーはカラー読み取り用のものである。イメージセンサーは、例えば、Ｒ、Ｇ、Ｂの３本のラインセンサーを含む。原稿を読み取るとき、制御部１は、原稿台にセットされた原稿への光の照射をランプに行わせる。原稿で反射された光はイメージセンサーに入射される。イメージセンサーは、複数の受光素子を含む。イメージセンサーは原稿を読み取る。各受光素子は受光量に応じたアナログ画像信号を出力する。アナログ画像信号は制御部１に入力される。
【００１９】
画像データ生成回路１２は、画像読取部３が原稿を読み取って出力したアナログ画像信号を処理する。画像データ生成回路１２は画像データを生成する。以下では、原稿の読み取りで得られた画像データを読取画像データ７と称する。画像データ生成回路１２は、例えば、アナログ画像信号を処理する回路を含む。アナログ画像信号を処理する回路は、例えば、増幅回路、オフセット回路、Ａ／Ｄ変換回路である。Ａ／Ｄ変換回路は、増幅回路、オフセット回路が調整したアナログ画像信号をディジタルデータ（読取画像データ７）に変換する。例えば、画像データ生成回路１２は、グレー（モノクロ）の読取画像データ７を生成する（カラーでもよい）。例えば、画像データ生成回路１２は、１画素１色８〜１０ビットの画像データを生成する。１ライン単位での読み取りとアナログ画像信号のディジタル化を繰り返すことにより、１ページの読取画像データ７が得られる。制御部１は生成した読取画像データ７を記憶部２に記憶させる。
【００２０】
なお、画像データ生成回路１２は補正回路を含んでもよい。補正回路は、例えば、画像読取部３（ランプ、イメージセンサー）の特性に起因する歪みを補正する。例えば、補正回路は、読取画像データ７のシェーディング補正を行う。
【００２１】
操作パネル４は、表示パネル４１、タッチパネル４２、ハードキー４３を含む。表示パネル４１は、画面、画像を表示する。制御部１は表示パネル４１の表示を制御する。制御部１は、ジョブの設定に用いる操作画像を表示パネル４１に表示させる。操作画像は、例えば、ボタンやキーである。タッチパネル４２は、使用者の操作を受け付ける。タッチパネル４２は、表示パネル４１の上面に設けられる。タッチパネル４２はタッチ位置を認識する。タッチパネル４２の出力に基づき、制御部１は、操作された操作画像を認識する。操作された操作画像に基づき、制御部１は、使用者の操作内容を認識する。ハードキー４３も使用者の操作を受け付ける。
【００２２】
印刷部５は、給紙部５１、用紙搬送部５２、画像形成部５３、定着部５４を含む。給紙部５１は給紙カセット、給紙ローラーを含む。給紙カセットは用紙を収容する。給紙ローラーは用紙を送り出す。印刷ジョブのとき、制御部１は用紙を給紙部５１に供給させる。用紙搬送部５２は、用紙搬送用の搬送ローラー対、搬送モーターを含む。搬送ローラー対は用紙を搬送する。搬送モーターは搬送ローラー対を回転させる。制御部１は用紙を用紙搬送部５２に搬送させる。
【００２３】
画像形成部５３は、例えば、感光体ドラム、帯電装置、露光装置、現像装置、転写ローラーを含む。ジョブ実行用画像データに基づき、制御部１はトナー像を画像形成部５３に形成させる。制御部１は搬送用紙へのトナー像の転写を画像形成部５３に行わせる。定着部５４は、ヒーター、定着用回転体、定着用モーターを含む。ヒーターは定着用ローラーを熱する。用紙は定着用回転体と接しつつ搬送される。これにより、トナー像が用紙に定着する。制御部１は転写されたトナー像の用紙への定着を定着部５４に行わせる。用紙搬送部５２は印刷済み用紙を機外に排出する。
【００２４】
制御部１は、ネットワークを介してコンピューター２００と通信できる。通信部６はコンピューター２００と通信する。通信部６はコネクター、通信用回路、通信用メモリーを含む。通信用メモリーは通信ソフトウェアを記憶する。制御部１は、コンピューター２００に向けて、画像データを通信部６に送信させ得る。
【００２５】
（複合機１００で実行できるジョブ）
次に、図２を用いて、実施形態に係る複合機１００で実行できるジョブの種類の一例を説明する。図２は、実施形態に係る複合機１００で実行できるジョブの一例を示す図である。
【００２６】
複合機１００では、複数種類のジョブを実行できる。例えば、複合機１００では、画像読取部３が取得した画像データに基づき、保存ジョブ、送信ジョブ、印刷ジョブを行うことができる。画像データに基づきジョブを行うとき、制御部１（画像処理回路１１）は、画像データの画像処理を行う。制御部１は画像処理を行ってジョブ実行用画像データを生成する。生成したジョブ実行用画像データに基づき、制御部１はジョブを実行する。
【００２７】
保存ファイルの形式は予め定められる。制御部１は、予め定められた形式の画像データ（画像ファイル）を保存ジョブのジョブ実行用画像データとして生成する。制御部１は、生成した画像ファイルを、記憶部２に不揮発的に記憶させる。保存ジョブでは、記憶部２がジョブ実行部として機能する。
【００２８】
送信ファイルの形式は予め定められる。制御部１は予め定められた形式の画像データ（画像ファイル）をジョブ実行用画像データとして生成する。制御部１は生成したファイルを通信部６に送信させる。送信ジョブでは、通信部６がジョブ実行部として機能する。
【００２９】
また、印刷ジョブとき、画像処理後の画像データに基づき、制御部１は、ジョブ実行用画像データを生成する。制御部１は、画像形成部５３の印刷に用いる画像データをジョブ実行用画像データとして生成する。例えば、制御部１は、トナーをのせる画素を示す画像データをジョブ実行用画像データとして生成する。制御部１は、生成したジョブ実行用画像データに基づき、画像形成部５３に印刷させる。印刷ジョブでは、印刷部５がジョブ実行部として機能する。
【００３０】
（使用者の認識）
次に、複合機１００での使用者の認識（認証）の一例を説明する。複合機１００（操作パネル４）には、ログインモードとログアウトモードがある。例えば、ログインモードでは、制御部１は、ジョブに関する設定を操作パネル４に受け付けさせる。また、例えば、ログインモードでのみ、制御部１は、保存ジョブ、送信ジョブ、印刷ジョブを開始する。ログインアウトモードでは、制御部１は、これらのジョブの設定を操作パネル４に受け付けさせない。ログアウトモードでは、制御部１は、これらのジョブを開始しない。
【００３１】
ログアウトモードからログインモードに切り替えるには、ログインのための情報（認証を受けるための情報）を複合機１００に入力する必要がある。以下では、ログインのための情報を操作パネル４に入力する例を説明する。なお、情報入力に、ＩＤカードが用いられてもよい。ログアウトモードのとき、操作パネル４は、ログインのための情報の入力を受け付ける。ログインのための情報は、例えば、使用者名（ログインユーザー名）とパスワードである。なお、使用者名とパスワード以外の情報の入力を求めてもよい。
【００３２】
記憶部２は認証用データＤ０を不揮発的に記憶する（図１参照）。認証用データＤ０は、複合機１００を使用可能な者の名前（使用者名）と、使用者名に対応するパスワードを定義したデータである。認証用データＤ０に基づき、制御部１は、入力された情報が正しいか否かを判定する。
【００３３】
入力された情報がどの人物の認証用データＤ０とも一致しないとき、制御部１は入力された情報が誤りと判定する。この場合、制御部１はログアウトモードを維持する。入力された情報がいずれかの人物の認証用データＤ０と一致したとき、制御部１は入力された情報が正しいと判定する。制御部１は入力された情報と認証用データＤ０が一致した人物を使用者と認識（認証）する。この場合、制御部１はログインモードへの遷移を行う。
【００３４】
なお、操作パネル４でログアウトキー（ハードキー４３）が操作されたとき、又は、ログインモードで操作パネル４の操作がない時間が予め定められた自動ログアウト時間を経過したとき、制御部１は、複合機１００をログアウトモードとする。
【００３５】
（修正読取モード）
次に、図３〜図８を用いて、実施形態に係る修正読取モードの設定の一例を説明する。図３は、実施形態に修正読取モードでの処理の流れの一例を示す図である。図４は、実施形態に係るグループ選択画面４１ａの一例を示す図である。図５は、実施形態に係る第２グループ定義用画面４１ｂの一例を示す。図６は、実施形態に係る読取画像データ７の一例を示す。図７は、実施形態に係る変更領域８の設定の一例を示す。図８は、実施形態に係る変更処理の一例を示す。
【００３６】
複合機１００では、修正読取モードを利用することができる。操作パネル４は、修正読取モードの利用の選択を受け付ける。操作パネル４が修正読取モードの利用を受け付けたとき、制御部１は修正読取モードでの処理を行う。なお、修正読取モードを利用する場合、使用者は認証を受けておく（ログインしておく）必要がある。
【００３７】
修正読取モードは、手書きで原稿に記入された区切り記号９に基づき、原稿の内容を修正するモードである。区切り記号９の詳細は後述する。制御部１（画像処理回路１１）は、原稿の読み取りで得られた読取画像データ７に含まれる区切り記号９を認識する。次に、制御部１は、認識した複数の同じ区切り記号９に基づき、変更領域８を定める。変更処理は複数種類ある。そこで、制御部１は、定めた各変更領域８の区切り記号９（変更領域８に対応する区切り記号９）に基づき、実行する変更処理の種類を定める。制御部１は、定めた変更処理を変更領域８に含まれる記号（文字、アルファベット）に施して修正画像データ７０を生成する。
【００３８】
図３〜図８を用いて、修正読取モードの処理の流れの一例を説明する。例えば、制御部１は、修正読取モードボタン（不図示）を操作パネル４に表示させる。図２のスタートは、操作パネル４が修正読取モードボタンの操作を受け付け、制御部１が、修正読取モードの利用の選択がなされたと認識した時点である。
【００３９】
まず、制御部１（制御回路１０）は、セットされた原稿を画像読取部３に読み取らせ、読取画像データ７を生成する（ステップ♯１）。使用者は事前に原稿をセットしておく。
【００４０】
次に、制御部１（制御回路１０）は、グループ選択画面４１ａを表示パネル４１に表示させる（ステップ♯２）。グループ選択画面４１ａは、区切り記号９として用いる記号を選択するための画面である。操作パネル４はグループ選択画面４１ａでの設定操作を受け付ける。なされた設定操作に基づき、制御部１は区切り記号９として用いる記号を定める（ステップ♯３）。言い換えると、制御部１は、どの記号が区切り記号９であるかを認識する。
【００４１】
図４は、グループ選択画面４１ａの一例を示す。制御部１（制御回路１０）は、第１チェックボックスＢ１と第２チェックボックスＢ２をグループ選択画面４１ａに表示させる。第１チェックボックスＢ１は、第１グループに属する区切り記号９を用いるか否かを選択するためのチェックボックスである。第２チェックボックスＢ２は、第２グループに属する区切り記号９を用いるか否かを選択するためのチェックボックスである。
【００４２】
第１グループは、デフォルト（初期値）として設定された区切り記号９が属するグループである。図３は、＊、〜、♯、≠の記号が第１グループの区切り記号９として設定されている例を示す。
【００４３】
また、第１グループの各区切り記号９には、対応する変更処理が予め定められる。例えば、図３の例では、＊の区切り記号９に対応する変更処理がＢｏｌｄ処理（太字化処理）と定められている。また、〜の区切り記号９に対応する変更処理がＩｔａｌｉｃ処理（イタリック処理）と定められている。♯の区切り記号９に対応する変更処理がＵｎｄｅｒｌｉｎｅ処理（下線追加処理）と定められている。≠の区切り記号９に対応する変更処理がＤｅｌｅｔｅ処理（消去処理）と定められている。なお、第１グループでは、区切り記号９に対応する変更処理を変えることはできない。
【００４４】
記憶部２は、第１グループ定義データＤ１を不揮発的に記憶する（図１参照）。第１グループ定義データＤ１は、第１グループに属する区切り記号９と、第１グループに属する各区切り記号９に対応する変更処理を定義したデータである。なお、第１グループについては、区切り記号９の変更、追加、削除はできず、固定である。また、第１グループでは、区切り記号９に対応する変更処理を変えることはできない。
【００４５】
ステップ♯３において、第１グループの区切り記号９を用いる選択がなされたとき、制御部１は、第１グループの記号を区切り記号９を用いると認識する。言い換えると、制御部１は、第１グループ定義データＤ１で定められている記号を区切り記号９と扱う。
【００４６】
一方、第２グループは、使用者が定めた区切り記号９が属するグループである。図３は、Λ（上向き括弧）、∨（下向き括弧）、＠の記号が第２グループの区切り記号９として設定されている例を示す。また、第２グループの区切り記号９についても、区切り記号９ごとに対応する変更処理が予め定められる。
【００４７】
例えば、図４の例では、Λの区切り記号９に対応する変更処理がＵｐｐｅｒ  Ｃａｓｅ処理（大字化処理）と定められている。∨の区切り記号９に対応する変更処理がＬｏｗｅｒ  Ｃａｓｅ処理（小文字化処理）と定められている。＠の区切り記号９に対応する変更処理がＳｕｐｅｒｓｃｒｉｐｔ処理と定められている。
【００４８】
制御部１は、カスタマイズボタンＢ３をグループ選択画面４１ａに表示させる。カスタマイズボタンＢ３を操作することにより、使用者は、第２グループの区切り記号９として用いる記号の選択と、選択した記号に対応する変更処理を定めることができる。
【００４９】
図５は、第２グループ定義用画面４１ｂの一例を示す。カスタマイズボタンＢ３が操作されたとき、制御部１（制御回路１０）は、第２グループ定義用画面４１ｂを表示させる。図５では、左側に区切り記号選択ボックスＢ４が設けられる。区切り記号選択ボックスＢ４がタッチされると、制御部１は、ソフトウェアキーボードを表示パネル４１に表示させる。使用者は、ソフトウェアキーボードを用いて区切り記号９として用いる記号を定め得る（選べる）。
【００５０】
１つの区切り記号選択ボックスＢ４に対して、１つの処理設定ボックスＢ５が設けられる。図５は、区切り記号選択ボックスＢ４の右側に処理設定ボックスＢ５を設ける例を示す。処理設定ボックスＢ５の右端が操作されると、制御部１は、プルダウンメニューを表示パネル４１に表示させる。制御部１は、プルダウンメニューに、選択できる変更処理を表示させる。使用者は選びたい変更処理をタッチする。これにより、区切り記号９に対応する変更処理を設定することができる。操作パネル４は、第２グループの区切り記号９とする記号の選択と、選択された記号に対応する変更処理の設定を受け付ける。
【００５１】
記憶部２は、第２グループ定義データＤ２を不揮発的に記憶する（図１参照）。第２グループ定義データＤ２は、第２グループに属する区切り記号９と、第２グループに属する各区切り記号９に対応する変更処理を定義したデータである。
【００５２】
ここで、制御部１は、ログインしている使用者を認識（認証）している。制御部１は、使用者ごとに、第２定義グループデータを記憶部２に記憶させる。使用者が複数いる場合、記憶部２は、第２グループ定義データＤ２を複数記憶する。なお、図１では、便宜上、第２グループ定義データＤ２を１つのみ図示している。
【００５３】
ステップ♯３では、第２グループの区切り記号９を用いる選択がなされたとき、制御部１は、第２グループの記号を区切り記号９として用いると認識する。言い換えると、制御部１は、ログインしている（認証している）使用者の第２グループ定義データＤ２で定められている記号を区切り記号９と扱う。
【００５４】
続いて、制御部１は、読取画像データ７に含まれる区切り記号９を認識する（ステップ♯４）。例えば、制御部１（画像処理回路１１）は、パターンマッチング処理を行うことにより、読取画像データ７の中から区切り記号９を認識してもよい。この場合、画像処理回路１１は、区切り記号９の画像データをテンプレートとして用いる。
【００５５】
また、制御部１は、読取画像データ７のＯＣＲ処理を行って、読取画像データ７に含まれる区切り記号９を認識してもよい。この場合、ＯＣＲ処理により、制御部１は、テキストデータを生成する。生成したテキストデータに基づき、制御部１は、区切り記号９を認識してもよい。
【００５６】
また、区切り記号９を認識しやすくするため、区切り記号色が予め定められてもよい。区切り記号色は原稿に書き込む区切り記号９の色である。例えば、赤色を区切り記号色とする場合、使用者は、原稿に赤色で区切り記号９を書き込む。また、記憶部２は、区切り記号色（赤色）と判定する画素値の範囲を定めたデータを不揮発的に記憶する。なお、区切り記号色は赤色に限られない。なお、操作パネル４は、区切り記号色の選択を受け付けてもよい。制御部１は、操作パネル４で選択された色を区切り記号色と認識する。
【００５７】
区切り記号色が設定されている場合、例えば、制御部１（画像処理回路１１）は、読取画像データ７から区切り記号色の部分（画素）のパターンマッチング処理を行うことにより、区切り記号９を認識してもよい。また、制御部１は、区切り記号色の部分（画素）のＯＣＲ処理を行ってもよい。制御部１は、ＯＣＲ処理により得られたテキストデータに区切り記号９が含まれているかを確認する。このように、制御部１は、読取画像データ７に含まれ、予め定められた区切り記号色の記号を区切り記号９と認識してもよい。
【００５８】
図６は、区切り記号９が手書きで書き込まれた原稿の読取画像データ７の一例を示す。図６の例では、∧、＊、〜、＠、≠、♯の記号が区切り記号９として原稿に書き込まれている。図６の例では、同じ区切り記号９がペアで書き込まれている。
【００５９】
区切り記号９の認識後、認識した区切り記号９に基づき、制御部１は、変更領域８を定める（ステップ♯５）。変更領域８は変更処理を施す領域である。
【００６０】
例えば、まず、制御部１（画像処理回路１１）は、読取画像データ７の行を認識する。言い換えると、画像処理回路１１は、読取画像データ７内の行領域を認識する（行の切り出し）。例えば、画像処理回路１１は、行判定線を移動させる。行判定線は、文字の記述方向の線である。図６の例では、行判定線は、左右方向の線である。図６の例では、行判定線の移動方向は上から下である。そして、画像処理回路１１は、１ライン（１画素）ごとに、文字、数字、又は、記号（基準よりも濃い画素）を示す画素と、行判定線との交差数をカウントする。画像処理回路１１は、カウント値がゼロのライン又は閾値以下のラインを空白ラインと認識する。行判定線と垂直な方向で連続する空白ラインの束を行間と認識する。制御部１２０は、行間に挟まれた部分を行領域と認識する。
【００６１】
１行には、通常、複数個の記号（文字）が含まれる。そこで、画像処理回路１１は、各行領域について、１記号領域を認識する。１記号領域は１記号（１文字）分の領域である。言い換えると、画像処理回路１１は１文字を切り出す。例えば、画像処理回路１１は、記号切り出し線（記述方向に対して垂直な方向の線）を記述方向で移動させる。図６、図７の例では、記号切り出し線は、上下方向の線である。また、画像処理回路１１は、行領域において、記号切り出し線を左から右に移動させる。画像処理回路１１は、１画素移動するごとに、文字、数字、又は、記号を示す画素（基準よりも濃い画素）と記号切り出し線との交差数をカウントする。画像処理回路１１は、カウント値がゼロ（すき間）になった位置を、記号と記号の区切りと判断する。
【００６２】
また、制御部１（画像処理回路１１）は、同じ区切り記号９のペアを定める。なお、同じ区切り記号９が４つ以上ある場合、画像処理回路１１は、読取画像データ７の上からｎ番目と（ｎ＋１）番目の同じ区切り記号９をペアとする。この場合、ｎは１以上の奇数である。
【００６３】
制御部１（画像処理回路１１）は、ペアの区切り記号９のうち、上側の区切り記号９に最も近い１記号領域を開始位置とする。また、画像処理回路１１は、ペアの区切り記号９のうち、下側の区切り記号９に最も近い１記号領域を終了位置とする。画像処理回路１１は、開始位置から終了位置までのそれぞれの１記号領域を囲うように、変更領域８を定める。記号（文字）の記述順からみて、開始位置の１記号領域から終了位置の１記号領域までの文章が含まれるように、画像処理回路１１は変更領域８を定める。
【００６４】
図７は、制御部１（画像処理回路１１）が設定する変更領域８の一例を示す。図７は、区切り記号９のペアごとにそれぞれ変更領域８を定める例を示す。図７では、設定される変更領域８の一例を破線で図示している。図７では、∧のペア、＊のペア、〜のペア、＠のペア、≠のペア、♯のペアごとに、変更領域８が定められている。
【００６５】
そして、制御部１（画像処理回路１１）は、実行する変更処理の種類を定める（ステップ♯６）。画像処理回路１１は、変更領域８に対応する区切り記号９に基づき、変更領域８ごとに、実行する変更処理を定める。
【００６６】
例えば、＊の区切り記号９が付された変更領域８については、制御部１は、Ｂｏｌｄ処理を行うと定める。〜の区切り記号９が付された変更領域８については、制御部１は、Ｉｔａｌｉｃ処理を行うと定める。♯の区切り記号９が付された変更領域８については、制御部１は、Ｕｎｄｅｒｌｉｎｅ処理を行うと定める。≠の区切り記号９が付された変更領域８については、制御部１は、Ｄｅｌｅｔｅ処理を行うと定める。
【００６７】
また、例えば、Λの区切り記号９が付された変更領域８については、制御部１は、Ｕｐｐｅｒ  Ｃａｓｅ処理を行うと定める。∨の区切り記号９が付された変更領域８については、制御部１は、Ｌｏｗｅｒ  Ｃａｓｅ処理を行うと定める。＠の区切り記号９が付された変更領域８については、制御部１は、Ｓｕｐｅｒｓｃｒｉｐｔ処理を行うと定める。
【００６８】
次に、制御部１（画像処理回路１１）は、修正画像データ７０を生成する（ステップ♯７）。具体的に、画像処理回路１１は、定めた変更処理を変更領域８に含まれる記号に施す。図８は生成された修正画像データ７０の一例を示す。図８は、図６、図７の読取画像データ７に基づき生成された修正画像データ７０の一例を示す。そして、図８を用いて、各変更処理の一例を説明する。図８の左側の図は、区切り記号９と変更領域８を図示した図である（図７と同様）。
【００６９】
図８の左側の図の最も上の変更領域８には、Λの区切り記号９が付されている。図８の例では、この最も上の変更領域８において、制御部１（画像処理回路１１）がＵｐｐｅｒ  Ｃａｓｅ処理を行っている。Ｕｐｐｅｒ  Ｃａｓｅ処理を行うとき、画像処理回路１１は、変更領域８内のＯＣＲ処理を行う。そして、画像処理回路１１は、ＯＣＲ処理で認識した各記号（各アルファベット）を大文字に変更する。具体的に、画像処理回路１１は、各記号の大文字の画像データを変更領域８内に貼り付ける。変更領域８内の記号（文字）のフォントを認識できれば、画像処理回路１１は、同じフォントの大文字の画像データを貼り付ける。記号を容易に大文字化することができる。
【００７０】
なお、Ｌｏｗｅｒ  Ｃａｓｅ処理を行うときも、制御部１（画像処理回路１１）は、変更領域８内のＯＣＲ処理を行う。そして、画像処理回路１１は、ＯＣＲ処理で認識した各記号（各アルファベット）を小文字に変更する。具体的に、画像処理回路１１は、各アルファベットの小文字の画像データを変更領域８内に貼り付ける。変更領域８内の記号（文字）のフォントを認識できれば、画像処理回路１１は、同じフォントの小文字の画像データを貼り付ける。所望のアルファベットを容易に小文字化することができる。
【００７１】
図８の左側の図の上から２つ目の変更領域８には、＊の区切り記号９が付されている。図８の例では、上から２つ目の変更領域８において、制御部１（画像処理回路１１）がＢｏｌｄ処理を行っている。Ｂｏｌｄ処理は、各記号の幅を太くするための処理である。Ｂｏｌｄ処理を行うとき、例えば、制御部１（画像処理回路１１）は、各記号（各文字）の１文字領域を所定ドット（１〜数ドット）ずらして重ねる。これにより、各記号の線の幅を太らせることができる。特定の記号、文章を強調することができる。
【００７２】
図８の左側の図の上から３つ目の変更領域８には、〜の区切り記号９が付されている。図８の例では、上から３つ目の変更領域８において、制御部１（画像処理回路１１）がＩｔａｌｉｃ処理を行っている。Ｉｔａｌｉｃ処理は、各記号に傾斜を持たせる処理である。Ｉｔａｌｉｃ処理を行うとき、例えば、制御部１（画像処理回路１１）は、変更領域８の形状を変更する画像処理を行う。例えば、画像処理回路１１は、変更領域８の形状を１０〜数十度斜めにする。例えば、変更領域８が長方形のとき、画像処理回路１１は、変更領域８の形を平行四辺形にする。
【００７３】
図８の左側の図の上から４つ目の変更領域８には、＠の区切り記号９が付されている。図８の例では、上から４つ目の変更領域８において、制御部１（画像処理回路１１）はＳｕｐｅｒｓｃｒｉｐｔ処理を行っている。Ｓｕｐｅｒｓｃｒｉｐｔ処理は、変更領域８に含まれる文章を直前の文章の後に移動させる処理である。Ｓｕｐｅｒｓｃｒｉｐｔ処理を行うとき、例えば、制御部１（画像処理回路１１）は、記述方向において、変更領域８の直前の行領域を認識する。図８の例では、行の記述方向は上から下であり、記号（文字）の記述方向は、左から右である。そして、画像処理回路１１は、認識した行領域の後に変更領域８を移動させる。
【００７４】
図８の左側の図の上から５つ目の変更領域８には、≠の区切り記号９が付されている。図８の例では、上から５つ目の変更領域８において、制御部１（画像処理回路１１）はＤｅｌｅｔｅ処理を行っている。Ｄｅｌｅｔｅ処理は、変更領域８内の文章を消す処理である。Ｄｅｌｅｔｅ処理を行うとき、例えば、制御部１（画像処理回路１１）は、変更領域８に含まれる全画素の画素値を白色（真っ白）に変換する。不要な行、文章を消すことができる。
【００７５】
図８の左側の図の上から６つ目の変更領域８には、♯の区切り記号９が付されている。図８の例では、上から６つ目の変更領域８において、制御部１（画像処理回路１１）はＵｎｄｅｒｌｉｎｅ処理を行っている。Ｕｎｄｅｒｌｉｎｅ処理は、変更領域８内の記号（文字）に下線を付す処理である。Ｕｎｄｅｒｌｉｎｅ処理を行うとき、例えば、制御部１（画像処理回路１１）は、変更領域８に含まれる行領域の下端に沿って、黒色の線を付す。強調したい部分を目立たせることができる。
【００７６】
なお、制御部１（画像処理回路１１）は、区切り記号９を認識する。第１グループの区切り記号９を用いない選択がなされている場合、画像処理回路１１は、第１グループの区切り記号９については、対応する変換処理を行わない。また、第２グループの区切り記号９を用いない選択がなされている場合、画像処理回路１１は、第２グループの区切り記号９については、対応する変換処理を行わない。
【００７７】
ここで、修正画像データ７０を生成するとき、制御部１（画像処理回路１１）は、区切り記号９を消す。例えば、画像処理回路１１は、読取画像データ７をコピーし、コピーした画像データを改変して修正画像データ７０を生成する。修正画像データ７０を生成する過程で、画像処理回路１１は、認識している区切り記号９を消す。例えば、画像処理回路１１は、区切り記号色の画素を白色に変換する。画像処理回路１１は、区切り記号９を含まない画像データを修正画像データ７０として生成する。
【００７８】
修正画像データ７０が生成されると、生成した修正画像データ７０に基づき、制御部１（制御回路１０）は、ジョブを実行させる（ステップ♯８）。操作パネル４は、実行するジョブの選択を受け付けてもよい。そして、制御部１は、本フローチャートの処理を終了する（エンド）。
【００７９】
例えば、制御部１は、修正画像データ７０を記憶部２に保存させてもよい（保存ジョブ）。所望の修正がなされた画像データを複合機１００に記憶させておき、後日、再利用することができる。制御部１は、修正画像データ７０に基づくファイルを通信部６に送信させてもよい（送信ジョブ）。この場合、使用者は、所望の修正がなされた画像ファイルを相手方におくることができる。また、制御部１は、修正画像データ７０に基づき印刷部５に印刷させる（印刷ジョブ）。この場合、使用者は、所望の修正がなされた印刷物を得られる。
【００８０】
なお、ジョブの実行前に、制御部１（制御回路１０）は、プレビュー画像を表示パネル４１に表示させてもよい。プレビュー画像は、ジョブの仕上がりを例示する画像である。画像処理回路１１は、修正画像データ７０を縮小して、プレビュー画像用の画像データを生成する。プレビュー画像用の画像データに基づき、制御回路１０は、プレビュー画像を表示パネル４１に表示させる。仕上がりに問題あるか否かを確認することができる。プレビュー画像を表示する場合、プレビュー画像の表示後、操作パネル４がジョブの開始を受け付けたときに、制御部１は修正画像データ７０に基づくジョブを開始する。
【００８１】
このようにして、実施形態に係る画像処理装置（複合機１００）は、画像読取部３、制御部１、ジョブ実行部（記憶部２、通信部６、印刷部５）を含む。画像読取部３は、原稿を読み取る。制御部１は、原稿の読み取りで得られた読取画像データ７に含まれる区切り記号９を認識する。認識した複数の同じ区切り記号９に基づき、制御部１は、変更領域８を定める。変更領域８に対応する区切り記号９に基づき、制御部１は、変更領域８で実行する変更処理の種類を定める。制御部１は、定めた変更処理を変更領域８に含まれる記号に施して修正画像データ７０を生成する。ジョブ実行部は、修正画像データ７０に基づきジョブを実行する。区切り記号９は、変更領域８と変更処理の種類を定めるための記号として予め定められた記号である。
【００８２】
手書きで区切り記号９を原稿に加えるだけで、変更する範囲（変更領域８）を指定（設定）することができる。また、行いたい変更処理の区切り記号９を原稿に手書きするだけで、所望の変更処理を指定した変更領域８に施すことができる。原稿の画像データを容易に修正することができる。ＰＣや編集用ソフトウェアは必要ない。区切り記号９を書き加え、原稿を読み取るだけで所望の修正がなされたデータ（修正画像データ７０）を得ることができる。また、修正画像データ７０に基づき、ジョブを行うことができる。
【００８３】
画像処理装置は、操作パネル４を含む。操作パネル４は、第１グループに属する区切り記号９を用いるか否か、及び、第２グループに属する区切り記号９を用いるか否かの選択を受け付ける。第１グループの区切り記号９を用いる選択がなされている場合、制御部１は、第１グループに属する区切り記号９に対応する変更処理を行う。第２グループの区切り記号９を用いる選択がなされている場合、制御部１は、第２グループに属する区切り記号９に対応する変更処理を行う。なお、第１グループの区切り記号９を用いない選択がなされている場合、制御部１は、第１グループの区切り記号９に対応する変更処理を行わない。第２グループの区切り記号９を用いない選択がなされている場合、制御部１は、第２グループの区切り記号９に対応する変更処理を行わない。区切り記号９として用いる記号のグループ、及び、区切り記号９として用いる記号を選択することができる。特定の区切り記号９を用いるか否かを選択することができる。例えば、ある区切り記号９と同じ記号が原稿に多く含まれる場合、誤った変換処理が行われないように、特定の区切り記号９を用いないようにすることができる。グループ単位で区切り記号９を使い分けることにより、誤った変換処理、意図しない変換処理を防ぐことができる。
【００８４】
画像処理装置は記憶部２を含む。操作パネル４は、第２グループの区切り記号９とする記号の選択を受け付ける。操作パネル４は、選択された記号に対応する変更処理の設定を受け付ける。制御部１は、選択された記号と、選択された記号に対応する変更処理と、を定義した第２グループ定義データＤ２を記憶部２に記憶させる。制御部１は、第２グループ定義データＤ２で定められている記号を区切り記号９と扱う。第２グループの区切り記号９を自由に設定することができる。第２グループの区切り記号９に対応する変更処理を自由に設定することができる。自由度が高く、使用者にとって使いやすい画像処理装置を提供することができる。
【００８５】
制御部１は、使用者を認識する。記憶部２は、使用者ごとに第２グループ定義データＤ２を記憶する。制御部１は、読取画像データ７のうち、認識した使用者に対応する第２グループ定義データＤ２で定められた記号を区切り記号９と認識する。使用者ごとに第２グループの区切り記号９を定めることができる。例えば、使用者ごとに、文書内でよく用いる記号が異なる可能性がある。このような場合でも、各個人の事情、状況にあわせて、区切り記号９を個人ごとに定めることができる。
【００８６】
Ｓｕｐｅｒｓｃｒｉｐｔ処理に対応する区切り記号９が予め定められる（例えば、＠）。変換処理としてＳｕｐｅｒｓｃｒｉｐｔ処理を行うとき、制御部１は、変更領域８を、変更領域８の直前の行領域の後に移動させる。変更領域８の直前の文章に続くように、所望の領域の文章を移動することができる。変更領域８の前の文章部分と同じ段落の文章に見えるように、変更領域８の文章を移動させることができる。容易に文章の体裁を整えることができる。
【００８７】
大文字化処理に対応する区切り記号９が予め定められる（例えば、Λ）。変換処理として大文字化処理を行うとき、制御部１は、変更領域８に含まれるアルファベットを、大文字に変更する。所望の領域のアルファベットを大文字に変換することができる。文章の見栄えがよくなるように、所望のアルファベットを大文字のみに変更することができる。小文字から大文字に直したい部分を、大文字に修正することができる。
【００８８】
小文字化処理に対応する区切り記号９が予め定められる（例えば、∨）。変換処理として小文字化処理を行うとき、制御部１は、変更領域８に含まれるアルファベットを、小文字に変更する。所望の領域のアルファベットを小文字に変換することができる。小文字で記述したい部分、大文字が不適切な部分、大文字から小文字に直したい部分を、小文字に修正することができる。
【００８９】
太字化処理に対応する区切り記号９が予め定められる（例えば、＊）。変換処理として太字化処理を行うとき、制御部１は、変更領域８に含まれるそれぞれの記号を太字にする。所望の領域の記号を太字に変換することができる。強調したい部分の記号を太字に変更することができる。
【００９０】
イタリック処理に対応する区切り記号９が予め定められる（例えば、〜）。変換処理としてイタリック処理を行うとき、制御部１は変更領域８に含まれるそれぞれの記号をイタリック体に変更する。所望の記号をイタリック体に変換することができる。例えば、強調したい部分、引用箇所を示す部分、名前を示す部分をイタリック体に変換することができる。イタリック体が慣用的に用いられる部分をイタリック体に修正することができる。
【００９１】
制御部１は、読取画像データ７に含まれる記号のうち、予め定められた区切り記号色の記号を区切り記号９として認識する。区切り記号９に用いる色を定めることができる。記号の形だけではなく、色も基準に区切り記号９を認識することができる。誤り無く、正確に区切り記号９を認識する確率を高めることができる。
【００９２】
本発明の実施形態を説明したが、本発明の範囲はこれに限定されるものではなく、発明の主旨を逸脱しない範囲で種々の変更を加えて実施することができる。
【産業上の利用可能性】
【００９３】
本発明は、画像処理装置に利用可能である。
【符号の説明】
【００９４】
１００  複合機（画像処理装置）          １      制御部
２      記憶部（ジョブ実行部）          ３      画像読取部
４      操作パネル                      ５      印刷部（ジョブ実行部）
６      通信部（ジョブ実行部）          ７      読取画像データ
７０    修正画像データ                  ８      変更領域
９      区切り記号                      Ｄ２    第２グループ定義データ
【図１】
2020195113.tif 000003
【図２】
2020195113.tif 000004
【図３】
2020195113.tif 000005
【図４】
2020195113.tif 000006
【図５】
2020195113.tif 000007
【図６】
2020195113.tif 000008
【図７】
2020195113.tif 000009
【図８】
2020195113.tif 000010